(57)【要約】【課題】テンプルのフロント部への取付けが容易なテンプル取付け部の構造及びメガネフレームを提供する。【解決手段】  フロント部の各リム１７の裏面側に支持台２２を一体に設け、この支持台２２に固定金具２３をねじ２６により固着させる。固定金具２３には、ばね部材２７の一端部が連結され、ばね部材２７の他端部には蝶番２８が連結され、蝶番２８にテンプルが取り付けられる。蝶番２８は、ばね部材２７の他端部を兼用の固定部材２９と、固定部材２９に相対的に回動自在に連結される可動部材３１と、固定部材２９と可動部材３１とを相対的に回動自在に連結するねじ３４とから構成される。テンプル取付け部の構造を容易にすることができるので、製造、組立てが容易になり、製品としての価格を安く抑えることができる。【選択図】        図１
2006017887.tif 000002
【特許請求の範囲】
【請求項１】
メガネフレームのフロント部にテンプルを取り付けるためのテンプル取付け部の構造であって、
フロント部の各リムにそれぞれ設けられる支持台と、該支持台に固着される固定金具と、該固定金具に一端部が連結されるばね部材とを備え、該ばね部材の他端部に蝶番を介して又は直接にテンプルが取り付けられることを特徴とするテンプル取付け部の構造。
【請求項２】
前記ばね部材には、前記テンプルを内方に付勢するばね力が付与されていることを特徴とする請求項１に記載のテンプル取付け部の構造。
【請求項３】
前記蝶番は、前記ばね部材の他端部と兼用の固定部材と、該固定部材に相対的に回動自在に連結される可動部材とからなり、該可動部材に前記テンプルが連結されていることを特徴とする請求項１又は２に記載のテンプル取付け部の構造。
【請求項４】
請求項１から３の何れかに記載のテンプル取付け部の構造をフロント部に備えてなることを特徴とするメガネフレーム。
【発明の詳細な説明】
【技術分野】
【０００１】
本発明は、フロント部にテンプルを取り付けるためのテンプル取付け部の構造及びそのテンプル取付け部の構造を備えたメガネフレームに関する。
【背景技術】
【０００２】
メガネフレームには種々のタイプのものがあり、例えば、一対の環状のリムと、両リムの内縁部間を連結するブリッジと、各リムの外縁部にばね蝶番を介して回動自在に連結されるテンプルとを備えたメガネフレームが知られている。
【０００３】
このような構成のメガネフレームにあっては、顔に装着したときに、ばね蝶番のばね力によってテンプルが内方へ付勢されることにより、メガネフレームを顔の所定の位置に保持することができるものである（例えば、特許文献１参照。）。
【特許文献１】特開２００３−１８５９８１号公報
【発明の開示】
【発明が解決しようとする課題】
【０００４】
ところで、上記のような構成のメガネフレームにあっては、テンプルをフロント部に回動自在に連結しているばね蝶番の構造が複雑であるため、製造、組立てに手間がかかり、メガネフレームとしての価格が高くついてしまう。
また、初期の性能を長期的に維持するためには、定期的にメンテナンスを行う必要があり、その作業に手間がかかる。
さらに、繰り返し使用することによりばね力が低下し、長期的に初期のばね力を維持することができない。
さらに、顔の幅の変化にばね力を柔軟に対応させることができないため、長時間の使用によって装着性が悪化することが多々ある。
【０００５】
本発明は、上記のような従来の問題を解決したものであって、テンプルをフロント部に回動自在に取り付ける部分の構造が簡単であって、製造、組立てを容易にすることができ、これによりメガネフレームとしての価格を安く抑えることができるとともに、メンテナンスフリーの状態で長期的に初期の性能が得られ、さらに、繰り返し使用しても初期のばね力が低下するようなことがなく、長期的に初期のばね力が得られ、さらに、顔の変化にばね力を柔軟に対応させることができて、長時間の使用によっても装着性が悪化するようなことがない、テンプル取付け部の構造及びメガネフレームを提供することを目的とするものである。
【課題を解決するための手段】
【０００６】
上記のような課題を解決するために、本発明の請求項１に係るテンプル取付け部の構造は、メガネフレームのフロント部にテンプルを取り付けるためのテンプル取付け部の構造であって、フロント部の各リムにそれぞれ設けられる支持台と、該支持台に固着される固定金具と、該固定金具に一端部が連結されるばね部材とを備え、該ばね部材の他端部に蝶番を介して又は直接にテンプルが取り付けられる手段を採用している。
【０００７】
また、本発明の請求項２に係るテンプル取付け部の構造は、請求項１に記載のテンプル取付け部の構造であって、前記ばね部材には、前記テンプルを内方に付勢するばね力が付与されている手段を採用している。
【０００８】
さらに、本発明の請求項３に係るテンプル取付け部の構造は、請求項１又は２に記載のテンプル取付け部の構造であって、前記蝶番は、前記ばね部材の他端部と兼用の固定部材と、該固定部材に相対的に回動自在に連結される可動部材とからなり、該可動部材に前記テンプルが連結されている手段を採用している。
【０００９】
さらに、本発明の請求項４に係るメガネフレームは、請求項１から３の何れかに記載のテンプル取付け部の構造をフロント部に備えてなる手段を採用している。
【発明の効果】
【００１０】
本発明は、前記のように構成したことにより、フロント部の各リムに支持台を設け、この支持台に固定金具を固着させることにより、フロント部にテンプルが回動自在に取り付けられることになる。この場合、フロント部のテンプル取付け部の構造は、リムに設けた支持台と、支持台に固着される固定金具と、固定金具に連結されるばね部材とからなる簡単な構造のものであるので、製造、組立てを容易にすることができ、製品としての価格を安く抑えることができる。
また、メンテナンスフリーの状態で長期的に初期の性能が得られ、さらに、繰り返し使用しても初期のばね力が低下するようなことがなく、長期的に初期のばね力が得られ、さらに、顔の変化にばね力を柔軟に対応させることができて、長時間の使用によっても装着性が悪化するようなことがない。
【発明を実施するための最良の形態】
【００１１】
以下、図面に示す本発明の実施の形態について説明する。
図１〜図４には、本発明によるテンプル取付け部の構造及びメガネフレームの一実施の形態が示されていて、図１はテンプル取付け部の構造を示す斜視図、図２はメガネフレームの全体を示す斜視図、図３及び図４はノーズパッド取付け部の構造を示す斜視図である。
【００１２】
すなわち、このメガネフレーム１５は、図２に示すように、一対の環状のリム１７、１７と、両リム１７、１７の内縁部間を一体に連結する棒状のブリッジ１８とからなるフロント部１６と、フロント部１６の各リム１７の外縁部に回動自在に取り付けられるテンプル３５とを備えている。
【００１３】
各リム１７の内側にはレンズ保持用の溝（図示せず）が全周に渡って設けられ、この溝内に視力矯正用、紫外線遮蔽用等のレンズ（図示せず）の外周部を嵌合させることにより、各リム１７の内側にそれぞれレンズが保持される。
【００１４】
フロント部１６の両端部には、図１に示すように、本発明によるテンプル取付け部の構造２１が構成されている。
テンプル取付け部の構造２１は、フロント部１６に一対のテンプル３５、３５を取り付けるための構造であって、フロント部１６の各リム１７の外縁部の裏面側に設けられる支持台２２と、支持台２２に取り付けられる固定金具２３と、固定金具２３に取り付けられるばね部材２７とを備え、ばね部材２７に蝶番２８を介してテンプル３５の一端部が連結される。なお、蝶番２８を使用せずに、ばね部材２７に直接にテンプル３５を連結しても良い。なお、テンプル取付け部の構造２１は、フロント部１６の外縁部の側面側に構成しても良い（図示せず）。
【００１５】
支持台２２は、蒲鉾状に形成されるものであって、各リム１７の外縁部の裏面側に後方に突出するように一体に設けられる。各支持台２２は、上下方向に長くなるように各リム１７の裏面側に一体に設けられる。各支持台２２には、各支持台２２を水平方向に貫通する一対のねじ挿通用の孔（図示せず）が設けられ、各ねじ挿通用の孔内を固定用のねじ２６が挿通する。支持台２２は、蒲鉾状に限らず、角柱状、台形板状等に形成しても良い。
【００１６】
固定金具２３は、長方形状の金属板を中央部から二つに折り曲げてＵ形状の本体部２４を形成するとともに、この本体部２４の幅方向の両端部を内方に直角に折り曲げ、その部分に内方に張り出る係止部２５、２５を一体に形成したものであって、本体部２４を支持台２２の外側に被嵌させ、両係止部２５、２５を支持台２２の上面及び下面に係止させるように、支持台２２に取り付けられる。
【００１７】
固定金具２３の本体部２４には、支持台２２の各ねじ挿通用の孔に対応する部分にねじ挿通用の孔（図示せず）とねじ孔（図示せず）とがそれぞれ設けられ、固定金具２３を支持台２２に取り付けた状態で、固定金具２３の外側から本体部２４の各ねじ挿通用の孔にねじ２６を挿通させ、そのねじ２６を支持台２２のねじ挿通用の孔内を挿通させて、本体部２４の各ねじ孔に螺合させて締め付けることにより、固定金具２３が支持台２２に固定される。なお、固定金具２３の支持台２２への固定方法は特に制限はなく、接着剤、かしめ、リベット等によって支持台２２に固定しても良い。
【００１８】
ばね部材２７は、金属製の棒状をなすものを折り曲げて略Ｕ形状に形成したものであって、Ｕ形状の屈曲部が水平かつ内方を向くように、一端部が固定金具２３の本体部２４の中央部に溶接等により一体に接合される。ばね部材２７は、Ｕ形状に限らず、Ｖ形状、Ｉ形状等としても良い。要は、テンプル３５を内方に付勢できる形状であれば良い。
【００１９】
ばね部材２７の他端部には蝶番２８が取り付けられる。蝶番２８は、ばね部材２７の他端部と兼用の固定部材２９と、固定部材２９に相対的に回動自在に取り付けられる可動部材３１と、固定部材２９と可動部材３１とを相対的に回動自在に連結するねじ３４とから構成され、可動部材３１に棒状のテンプル３５の一端部が固定される。
【００２０】
固定部材２９の先端部には板状の固定片３０が設けられ、この固定片３０の中心部にはねじ挿通用の孔（図示せず）が貫通した状態で設けられる。固定片３０の周縁部にはストッパー部（図示せず）が設けられ、このストッパー部にテンプル３５の一端部の端面を当接させることにより、テンプル３５の外方への回動角度が制限される。
【００２１】
可動部材３１の先端部には上下に一対の板状の可動片３２、３２が設けられ、上側の可動片３２の中心部にねじ挿通用の孔（図示せず）が貫通した状態で設けられ、下側の可動片３２の中心部にねじ孔（図示せず）が貫通した状態で設けられる。両可動片３２、３２には棒状の芯材３３が一体に連結され、この芯材３３をテンプル３５の中心部に埋設させることにより、可動部材３１がテンプル３５の先端部に一体に取り付けられる。
【００２２】
固定部材２９の固定片３０を可動部材３１の両可動片３２、３２間に挿入し、上方から可動部材３１の一方の可動片３２のねじ挿通用の孔内にねじ３４を挿通させ、このねじ３４を固定片３０のねじ挿通用の孔内に挿通させ、このねじ３４の先端部を他方の可動片３２のねじ孔に螺合させて締め付けることにより、固定部材２９と可動部材３１とが相対的に回動自在に連結される。
【００２３】
テンプル３５を外方へ回動させてテンプル３５の一端部の端面を固定部材２９のストッパー部に当接させることにより、ばね部材２７の屈曲部が間隔を狭める方向に変形し、このときの屈曲部の復元力によりテンプル３５に内方に押し戻す力が付与される。
【００２４】
フロント部１６の中央部の裏面側には、図３及び図４に示すように、ノーズパッド取付け部の構造１が構成されている。
ノーズパッド取付け部の構造１は、フロント部１６にノーズパッド９、９を取り付けるための構造であって、フロント部１６のブリッジ１８の裏面側に設けられる支持穴１９と、支持穴１９に一部が挿入される固定金具２と、固定金具２をフロント部１６に固定する固定手段であるねじ８と、固定金具２に取り付けられる一対のパッド足６、６とを備え、各パッド足６にそれぞれノーズパッド９が取り付けられる。
【００２５】
支持穴１９は、固定金具２の支持片３の形状に応じた形状に形成されるものであって、この実施の形態においては、円弧板状の支持片３に合致する円弧状の空間に形成されている。支持穴１９は、ブリッジ１８の裏面側中央部に水平に設けられ、この支持穴１９内に後述する固定金具２の支持片３が挿入される。支持穴１９の底面には、ブリッジ１８の下面側に貫通するねじ挿通用の孔２０が設けられ、このねじ挿通用の孔２０内をブリッジ１８の下面側から固定手段である金属製又は樹脂製のねじ８が挿通する。なお、支持穴１９は、円弧状の空間に限らず、矩形状、台形状、三角形状等の空間としても良い。要は、支持片３の形状に合致する形状とすれば良い。
【００２６】
固定金具２は、円弧板状に形成される支持片３と、支持片３の弦側に一体に設けられる略ハ形板状のパッド足取付け片５とから構成され、支持片３がフロント部１６の支持穴１９内に挿入される。支持片３は、円弧板状に限らず、矩形板状、台形板状、三角形板状等としても良い。
【００２７】
支持片３とパッド足取付け片５との境界部は略直角に折り曲げられ、支持片３をブリッジ１８の支持穴１９内に挿入したときに、パッド足取付け片５がブリッジ１８及び各リム１７の裏面側に沿うように構成される。
【００２８】
支持片３の中央部には、ねじ挿通用の孔４が貫通した状態で設けられ、このねじ挿通用の孔４内をブリッジ１８のねじ挿通用の孔２０内を挿通させたねじ８が挿通する。支持片３のねじ挿通用の孔４内を挿通したねじ８は、支持穴１９の上部のブリッジ１８の部分に螺合され、これにより固定金具２がブリッジ１８に固定される。
【００２９】
固定手段８は、支持穴１９内に固定金具２の支持片３を固定できるものであれば特に制限はなく、前述したねじの他に、図示はしないが、リベット、ピン、ねじ・ナット、接着剤等が挙げられる。
【００３０】
パッド足取付け片５は、この実施の形態に示すように、ブリッジ１８及び各リム１７の裏面側に沿わせるだけでも良いし、図示はしないが、パッド足取付け片５の先端部に支持片を一体に設け、この支持片を各リム１７の裏面側に設けた支持穴内に挿入するように構成しても良い。
【００３１】
パッド足取付け片５の先端部には、一対のパッド足６、６が一体に取り付けられている。各パッド足６は、変形可能な金属からなる棒状をなすものであって、一端部がパッド足取付け片５の先端部に溶接等によって一体に接合される。なお、一対のパッド足６、６を使用せずに、１本のパッド足を略Ｕ形状に屈曲させて、その屈曲させたものの中央部を溶接等によって固定金具に一体に接合するように構成しても良い。
【００３２】
各パッド足６の他端部には、金属製の箱状のパッド箱７が溶接等により一体に接合され、このパッド箱７に合成樹脂製のノーズパッド９がパッド芯１０を介してねじ１１により取り付けられる。
【００３３】
各パッド足６を任意の形状に変形させることにより、両ノーズパッド９、９の固定金具２のパッド取付け片５に対する相対的な位置、角度等、すなわちフロント部１６に対する両ノーズパッド９、９の相対的な位置、角度等を調整することができる。
【００３４】
上記のように構成したテンプル取付け部の構造２１及びメガネフレーム１５にあっては、フロント部１６の各リム１７の裏面側に支持台２２を設けて、この支持台２２に固定金具２３をねじ２６により固着させることにより、テンプル３５、３５をフロント部１６の裏面側の所定の位置に取り付けることができるので、テンプル３５、３５の取付けが容易となる。
【００３５】
また、固定金具２３に連結されているばね部材２７、ばね部材２７に連結されている蝶番２８は構造が簡単なものであるので、製造、組立てが容易となり、製品としての価格を安く抑えることができる。さらに、メンテナンスフリーの状態で長期的に初期の性能が得られる。さらに、繰り返し使用しても初期のばね力が低下するようなことがなく、長期的に初期のばね力が得られる。さらに、顔の変化にばね力を柔軟に対応させることができるので、長時間の使用によっても装着性が悪化するようなことがない。
【図面の簡単な説明】
【００３６】
【図１】本発明によるテンプル取付け部の構造の一実施の形態を示した斜視図である。
【図２】本発明によるメガネフレームの一実施の形態の全体を示した斜視図である。
【図３】図２に示すメガネフレームのノーズパッド取付け部の構造を示した斜視図である。
【図４】図３のノーズパッド取付け部の構造の分解斜視図である。
【符号の説明】
【００３７】
１  ノーズパッド取付け部の構造
２  固定金具
３  支持片
４  ねじ挿通用の孔
５  パッド足取付け片
６  パッド足
７  パッド箱
８  固定手段（ねじ）
９  ノーズパッド
１０  パッド芯
１１  ねじ
１５  メガネフレーム
１６  フロント部
１７  リム
１８  ブリッジ
１９  支持穴
２０  ねじ挿通用の孔
２１  テンプル取付け部の構造
２２  支持台
２３  固定金具
２４  本体部
２５  係止部
２６  ねじ
２７  ばね部材
２８  蝶番
２９  固定部材
３０  固定片
３１  可動部材
３２  可動片
３３  芯材
３４  ねじ
３５  テンプル
【図１】
2006017887.tif 000003
【図２】
2006017887.tif 000004
【図３】
2006017887.tif 000005
【図４】
2006017887.tif 000006